(57)【要約】【課題】  聖火燃焼のための空気通路をトーチ本体内に設けデザインの自由度を確保すること。【解決手段】聖火トーチであって、上面に凹部を有するトーチ本体と、前記凹部に載置され、聖火を灯す燃焼部と、前記トーチ本体内に形成され、前記トーチ本体の下部に設けられる空気取入口と前記凹部とを連通する空気通路と、を有することを特徴とする。【選択図】図１
2018071896.tif 000002
【特許請求の範囲】
【請求項１】
上面に凹部を有するトーチ本体と、前記凹部に載置され、聖火を灯す燃焼部と、前記トーチ本体内に形成され、前記トーチ本体の下部に設けられる空気取入口と前記凹部とを連通する空気通路と、を有することを特徴とする聖火トーチ。
【請求項２】
請求項１記載の聖火トーチであって、
前記凹部には、前記燃焼部を前記凹部に対して相対的に昇降可能とした昇降機構を設けたことを特徴とする聖火トーチ。
【請求項３】
請求項１または２記載の聖火トーチであって、
前記トーチ本体には聖火トーチの位置を特定する位置発信器が取り付けられたことを特徴とする聖火トーチ。
【発明の詳細な説明】
【技術分野】
【０００１】
本発明は、聖火リレーに使用する聖火トーチに関するものである。
【背景技術】
【０００２】
従来の聖火トーチは、聖火トーチ本体の上面に凹部を設け、この凹部内に燃焼部を取り付ける構造を有し、燃焼部に着火後、聖火トーチランナーが所定区間の走行する間、聖火を灯し続ける。
【発明の概要】
【発明が解決しようとする課題】
【０００３】
しかしながら、燃焼の対流が凹部に限って行われるために、風雨の影響を受けた場合など、空気の流入が滞る可能性があり、十分な空気の流入を確保しないと聖火トーチリレーの途中に聖火が消火してしまう可能性もあった。
【０００４】
一方で、聖火トーチは、それぞれのオリンピック大会の象徴であり、そのデザインは大会のメッセージ性を発信するため、燃焼性を確保するために凹部周辺に空気の流入路を設け、特に、空気取り入れ口をトーチ本体の上部周面に設けると、聖火トーチのデザインに制約が与えられ、望ましくない。
【０００５】
そこで、本発明の聖火トーチの目的は、聖火の燃焼を確実に行うことができ、かつ、デザイン性が損なわれない、聖火トーチを提供することにある。
【課題を解決するための手段】
【０００６】
上記目的を達成するための本発明の聖火トーチの代表的な構成は、上面に凹部を有するトーチ本体と、前記凹部に載置され、聖火が灯される燃焼部と、前記トーチ本体内に形成され、前記トーチ本体の下部に設けられる空気取入口と前記凹部に連通する空気通路と、を有するものである。
【発明の効果】
【０００７】
本発明の聖火トーチによれば、聖火燃焼のための空気通路をトーチ本体内に設け、その空気取り入れ口をトーチ本体の下部に設けることで、デザインの自由度を確保することができる聖火トーチを提供することができる。
【図面の簡単な説明】
【０００８】
【図１】本発明の第１実施形態を示す説明図である。
【図２】本発明の第２実施形態を示す説明図である。
【図３】本発明の外観デザインのバリエーションを示す第３実施形態を示す説明図である。
【図４】本発明の外観デザインのバリエーションを示す第３実施形態を示す説明図である。
【図５】本発明の外観デザインのバリエーションを示す第４実施形態を示す説明図である。
【図６】本発明の外観デザインのバリエーションを示す第５実施形態を示す説明図である。
【図７】本発明の外観デザインのバリエーションを示す第６実施形態を示す説明図である。
【図８】本発明の外観デザインのバリエーションを示す第６実施形態を示す説明図である。
【図９】本発明の外観デザインのバリエーションを示す第７実施形態を示す説明図である。
【図１０】本発明の外観デザインのバリエーションを示す第８実施形態を示す説明図である。
【図１１】本発明の外観デザインのバリエーションを示す第９実施形態を示す説明図である。
【図１２】本発明の外観デザインのバリエーションを示す第１０実施形態を示す説明図である。
【図１３】本発明の外観デザインのバリエーションを示す第１１実施形態を示す説明図である。
【図１４】本発明の外観デザインのバリエーションを示す第１２実施形態を示す説明図である。
【図１５】本発明の外観デザインのバリエーションを示す第１３実施形態を示す説明図である。
【図１６】本発明の外観デザインのバリエーションを示す第１４実施形態を示す説明図である。
【図１７】本発明の外観デザインのバリエーションを示す第１５実施形態を示す説明図である。
【発明を実施するための形態】
【０００９】
本発明の聖火トーチの第１実施形態を、図１を用いて以下に説明する。
【００１０】
図１(ａ)及び(ｂ)に示すように、本実施形態の聖火トーチAは、筒状のトーチ本体１、該トーチ本体１の上面に形成される凹部１a内に着脱自在に取り付けることができる燃焼部２と、該燃焼部２を固定するホルダ３と、該係止部３を介して燃焼部２を昇降させる昇降体４と、トーチ本体１の内部に配置され、内側に空気通路５ａを形成した内設ロッド５とを有する。
【００１１】
トーチ本体１は、円筒状のトーチ本体１であって、後述するようにプラスチック、金属、木材、ガラス等の材料を選択し、あるいは組み合わせて、制作されたものである。トーチ本体１の上部は、周縁の縁部を残して窪み、ここに凹部１ａが形成されている。
【００１２】
燃焼部２は、上端に炎を点灯する火口と、内部にプロパンガス等の燃焼ガスを収納するタンクを有し、カートリッジ体として、トーチ本体１に対して着脱自在に構成される。もちろん、固体燃料ブロックであってもよい。
【００１３】
ホルダ３は、等角度で設けられた爪３ａを３つ有し、燃焼部２を着脱自在に保持する。ホルダ３の基部はトーチ本体１の凹部１ａの底部に設けられた円筒空間に昇降自在にはめ込まれており、トーチ本体１側の溝１ｂにホルダ３側の突起３ｂが突設されて、ホルダ３の回転を規制し、昇降を可能としながら脱落することを防止する構造となっている。
【００１４】
また、ホルダ３の中央には、空気通路の一部を形成する、第１空気供給路３ｃが上下方向に形成されて、爪３ａ間の隙間を通って、燃焼部２に空気を供給する。また、ホルダ３の基部には、この空気供給路３ｃと連通する上下方向に長い長穴形状の補助空気路３ｄが形成されているが、通常の状態では、トーチ本体１の内壁に接して閉鎖された状態となっている。
【００１５】
昇降体４は、トーチ本体１の内部、ホルダ３の下部に一体に固定されたスリーブ状の部材であって、内面に雌ネジ４ａが切られている。
【００１６】
内設ロッド５は、トーチ本体１内部に回転自在に配置される管状の部材である。上部外周面に雄ネジ５ａが切られており、昇降体４の内面の雌ネジ４ａと螺合している。また、下端には、内設ロッド５を回転させる際に使用する折り畳み式のハンドル５ｄを有している。さらに、内部には空気通路の一部を形成する第２空気供給路５ｃが形成され、下端に空気取入口５ｅが開口する。
【００１７】
以上説明したように、燃焼部２に燃焼用空気を供給する空気通路は、第１空気供給路３ｃと第２空気流通路５ｃにより構成される。これら第１空気供給路３ｃと第２空気流通路５ｃはいずれもトーチ本体１の内部に形成され、トーチ本体のデザインに影響を与えることはない。
【００１８】
また、空気取入口５ｅはトーチ本体１の下面に開口するため、燃焼部２の加熱によって、トーチ本体１の下方から上方に円滑に空気を流すことができ、燃焼部２における聖火の燃焼が滞ることはない。さらに、仮に凹部１ｂに雨水が侵入しても、これを空気通路３ｃ、５ｃを通じて、下方に逃がすことができる。
【００１９】
次に、図１(ｃ)を用いて、本発明の聖火トーチの他の作用・効果を説明する。トーチ本体１の下端からハンドル５ｄを引き出して、内設ロッド５を回転させると、上部の雄ネジ５ａが昇降体４の雌ネジ４ｂを回転させて、ホルダ３と一体となっているため回転しない昇降体４を上昇させる。そして、上昇するホルダ３は、燃焼部２をトーチ本体１の凹部１ｂから突出するように上昇させる。
【００２０】
聖火トーチのリレーにあっては、ランナーが一定区間走行したあと、次の聖火トーチに聖火を移す必要があるが、燃焼部２同士を近接させる場合に、トーチ本体１の上端同士がぶつかって、円滑に聖火の移動を行えない場合がある。本実施形態のように、燃焼部２をトーチ本体１の凹部１ｂから突出させることで、燃焼部２同士を近づけることができ、聖火の移動を円滑に行うことができる。
【００２１】
また、本実施形態では、ホルダ３に補助空気路３ｄを有しているが、ホルダ３を上昇させることによって、この補助空気路３ｄを開放することができ、燃焼するための空気供給量を増減することで聖火の火勢を調整できるとともに、聖火の移動をより円滑に行うことができる。
【００２２】
なお、本実施形態では、空気取入口５ｅをトーチ本体１の底面に形成したが、外観デザインの支障にならない限り、トーチ本体１の下部側面に開口してもよい。また、本実施形態では、昇降機構４により燃焼部２及びホルダ３を昇降可能な構造としたが、燃焼部２はトーチ本体１の凹部１ａから相対的に突出すればよく、外観デザインの制約が許せば、凹部１ａの周縁を他の機構により昇降可能な構造としてもよい。
【００２３】
次に、本発明の聖火トーチの第２実施形態を図２(ａ)、(ｂ)を用いて説明する。なお、第１実施形態と同一の構成については、同じ符号を付して説明を省略する。
【００２４】
図１(ａ)に示すように、本実施形態の聖火トーチ１Ｂは、第１実施形態の聖火トーチ１Ａに加えて、位置発信器６をトーチ本体１ａ内に収納している。
【００２５】
聖火トーチ１Ｂは、位置発信器６からの聖火ランナーＸの位置情報を得て、走行している聖火ランナーＸから所定距離を保ってドローン１００を飛行させることができる。ドローン１００にカメラ１０１を搭載すれば、常に聖火ランナーＸが走っている情景を回りの景色とともに撮影・記録することができ、またリアルタイムで配信することもできる。
【００２６】
特に、ドローン１０１と聖火トーチ１Ｂの距離ｌ、角度αを自由に設定することによって、聖火ランナーXのさまざまな角度からの映像を撮影することができる。
【００２７】
さらに、位置発信器６がGPS衛星２００から自らの位置情報を取得する機能を持たせれば、ネット上で、地図を使ってランナーXの現在位置や走行軌跡に関する情報を提供することができる。ランナーXの個人情報を予め登録する構成としてもよい。
【００２８】
以下、聖火トーチ１の外観デザインについて、そのバリエーションを図３乃至図１７を用いて説明する。なお、いずれの図もトーチ本体１の外観デザインを示すものであり、空気取入口などは省略している。
【００２９】
本発明の第３実施形態を図３及び図４に示す。第３実施形態は、金属製であり、トーチ上部を、桜をモチーフとした形状とした聖火トーチである。
【００３０】
本発明の第４実施形態を図５に示す。第４実施形態は、金属製であり、トーチ上部を広げた円筒形状とした聖火トーチである。
【００３１】
本発明の第５実施形態を図６に示す。第５実施形態は、金属製であり、トーチ上部を広げ、角を婉曲化した、四角柱形状とした聖火トーチである。
【００３２】
本発明の第６実施形態を図７及び図８に示す。第６実施形態は、金属製であり、トーチ上部を広げ、角を湾曲化した、三角柱形状とした聖火トーチである。
【００３３】
本発明の第７実施形態を図９に示す。第７実施形態は、ガラス製またはアクリルなどの透明な合成樹脂製であり、トーチ上部を、桜をモチーフとした形状とした聖火トーチである。
【００３４】
本発明の第８実施形態を図１０に示す。第８実施形態は、ガラス製またはアクリルなどの透明な合成樹脂製であり、トーチ上部を広げた円筒形状とした聖火トーチである。
【００３５】
本発明の第９実施形態を図１１に示す。第９実施形態は、ガラス製またはアクリルなどの透明な合成樹脂製であり、トーチ上部を広げ、角を婉曲化とし、四角柱形状とした聖火トーチである。
【００３６】
本発明の第１０実施形態を図１２に示す。第１０実施形態は、ガラス製またはアクリルなどの透明な合成樹脂製であり、トーチ上部を広げ、角を湾曲化した、三角柱形状とした聖火トーチである。
【００３７】
本発明の第１１実施形態を図１３に示す。第１１実施形態は、樹脂含浸木材などの木製であり、４本の角材を束ねた形状の聖火トーチである。
【００３８】
本発明の第１２実施形態を図１４に示す。第１２実施形態は、樹脂含浸木材などの木製であり、トーチ上部を広げた円筒形状とした聖火トーチである。
【００３９】
本発明の第１３実施形態を図１５に示す。第１３実施形態は、樹脂含浸木材などの木製であり、トーチ上部を広げ、角を婉曲化し、四角柱形状とした聖火トーチである。
【００４０】
本発明の第１４実施形態を図１６に示す。第１４実施形態は、樹脂含浸木材などの木製であり、トーチ上部を広げ、角を湾曲化した、三角柱形状とした聖火トーチである。
【００４１】
本発明の第１５実施形態を図１７に示す。第１７実施形態は、樹脂をレース状の幾何学網目模様に組み上げた、トーチ上部を広げた円筒形状の聖火トーチである。本実施形態は３Ｄプリンタによって製造することが可能である。
【符号の説明】
【００４２】
１Ａ，１Ｂ   聖火トーチ
１ａ     トーチ本体
１ｂ     凹部
２     燃焼部
３     ホルダ
３ｃ   第１空気供給路（空気通路）
４         昇降機構
５         内設ロッド
５ｃ   第２空気供給路（空気通路）
５ｅ   空気取入口
６     位置発信器
【図１】
2018071896.tif 000003
【図２】
2018071896.tif 000004
【図３】
2018071896.tif 000005
【図４】
2018071896.tif 000006
【図５】
2018071896.tif 000007
【図６】
2018071896.tif 000008
【図７】
2018071896.tif 000009
【図８】
2018071896.tif 000010
【図９】
2018071896.tif 000011
【図１０】
2018071896.tif 000012
【図１１】
2018071896.tif 000013
【図１２】
2018071896.tif 000014
【図１３】
2018071896.tif 000015
【図１４】
2018071896.tif 000016
【図１５】
2018071896.tif 000017
【図１６】
2018071896.tif 000018
【図１７】
2018071896.tif 000019